(57)【要約】【課題】  単一のアップダウン検索方式に比べて画像情報等のページ検索処理を短時間に、しかも、効率良く実行できるようにする。【解決手段】  画像形成部７０に設定するためのＪＯＢを記述した複数ページの中から任意のページを検索するように操作される操作手段１４と、この操作手段１４によって操作される当該ページのＪＯＢを所定の操作画面に表示する表示手段１８と、表示手段１８を制御する制御手段１５とを備え、制御手段１５は、ＪＯＢの総ページ数を取得し、このＪＯＢの総ページ数が３ページを超えるか否かを判別し、ＪＯＢの総ページ数が３ページを超える場合は、先頭ページ、中間ページ及び最終ページを指定するためのキーを表示すると共に、当該先頭キー、中間キー又は最終キーの選択を受け付け、ここで受け付けられた先頭キー、中間キー又は最終キーの選択に基づくページの画像情報を操作画面に表示するものである。【選択図】        図２
2005085043.tif 000002
【特許請求の範囲】
【請求項１】
任意の画像情報に基づいて画像を形成する画像形成手段と、
前記画像形成手段に設定するための画像情報を記述した複数ページの中から任意のページを検索するように操作される操作手段と、
前記操作手段によって操作される当該ページの画像情報を所定の操作画面に表示する表示手段と、
前記操作手段から得られる操作情報に基づいて前記表示手段を制御する制御手段とを備え、
前記制御手段は、
前記表示手段の操作画面に表示する画像情報の総ページ数を取得し、
取得された前記画像情報の総ページ数が３ページを超えるか否かを判別し、
前記画像情報の総ページ数が３ページを超える場合は、先頭ページ、中間ページ及び最終ページを指定するためのキーを表示すると共に、当該先頭キー、中間キー又は最終キーの選択を受け付け、
受け付けられた前記先頭キー、中間キー又は最終キーの選択に基づくページの画像情報を前記操作画面に表示することを特徴とする画像形成装置。
【請求項２】
前記制御手段は、
前記先頭キー、中間キー又は最終キーの入力に応じて総ページ数より適切なページを算出し、
算出された前記ページの画像情報を画面に表示することを特徴とする請求項１に記載の画像形成装置。
【請求項３】
前記制御手段は、
前記中間キーの入力に応じて総ページ数を略半分に分割するページを検索し、
検索された前記ページの画像情報を画面に表示することを特徴とする請求項１に記載の画像形成装置。
【請求項４】
前記先頭キーが選択された場合は、先頭ページから最終ページの方向へ昇順にページを検索し、
前記最終キーが選択された場合は、最終ページから先頭ページの方向に降順にページを検索し、
前記中間キーが選択された場合は、
前記中間ページを基準にして、当該中間ページから最終ページの方向へ昇順にページを検索し、又は、当該中間ページから先頭ページの方向へ降順にページを検索するように操作されるアップ・ダウンキーを備えることを特徴とする請求項１に記載の画像形成装置。
【請求項５】
前記操作画面に表示された当該ページの画像情報を並び替える情報処理手段を備えることを特徴とする請求項１に記載の画像形成装置。
【請求項６】
前記制御手段は、
前記画像情報の総ページ数が２ページを超えるか否かを判別し、
前記画像情報の総ページ数が２ページを超える場合は、前記ページを指定するためのページ指定キーを表示すると共に、当該ページ指定キーの入力を受け付け、
受け付けられた前記ページ指定キーの入力に基づく指定ページの画像情報を前記操作画面に表示することを特徴とする請求項１に記載の画像形成装置。
【請求項７】
任意の画像情報に基づいて画像を形成する画像形成手段と、
前記画像形成手段に設定するための画像情報を記述した複数ページの中から任意のページを検索するように操作される操作手段と、
前記操作手段によって操作される当該ページの画像情報を所定の操作画面に表示する表示手段と、
前記操作手段から得られる操作情報に基づいて前記表示手段を制御する制御手段とを備え、
前記制御手段は、
前記表示手段の操作画面に表示する画像情報の総ページ数を取得し、
取得された前記画像情報の総ページ数が２ページを超えるか否かを判別し、
前記画像情報の総ページ数が２ページを超える場合は、前記ページを指定するためのページ指定キーを表示すると共に、当該ページ指定キーの入力を受け付け、
受け付けられた前記ページ指定キーの入力に基づく指定ページの画像情報を前記操作画面に表示することを特徴とする画像形成装置。
【請求項８】
前記指定ページを基準にして、当該指定ページから最終ページの方向へ昇順にページを検索し、又は、当該指定ページから先頭ページの方向へ降順にページを検索するように操作されるアップ・ダウンキーを備えることを特徴とする請求項７に記載の画像形成装置。
【請求項９】
前記操作画面に表示された当該ページの画像情報を並び替える画像情報処理手段を備えることを特徴とする請求項７に記載の画像形成装置。
【請求項１０】
複数ページの中から任意のページを検索し、当該ページの画像情報を所定の画面に表示する方法であって、
前記画面に表示する画像情報の総ページ数を取得し、
取得された前記画像情報の総ページ数が３ページを超えるか否かを判別し、
前記画像情報の総ページ数が３ページを超える場合は、先頭ページ、中間ページ及び最終ページを指定するためのキーを表示すると共に、当該先頭キー、中間キー又は最終キーの選択を受け付け、
受け付けられた前記先頭キー、中間キー又は最終キーの選択に基づくページの画像情報を画面に表示することを特徴とする情報表示方法。
【請求項１１】
複数ページの中から任意のページを検索し、当該ページの画像情報を所定の画面に表示する方法であって、
前記画面に表示する画像情報の総ページ数を取得し、
取得された前記画像情報の総ページ数が２ページを超えるか否かを判別し、
前記画像情報の総ページ数が２ページを超える場合は、前記ページを指定するためのページ指定キーを表示すると共に、当該ページ指定キーの入力を受け付け、
受け付けられた前記ページ指定キーの入力に基づく指定ページの画像情報を画面に表示することを特徴とする情報表示方法。
【発明の詳細な説明】
【技術分野】
【０００１】
本発明は、多数ページにまたがる画像情報（ＪＯＢ）を表示する機能を有した白黒用又はカラー用のプリンタや複写機、これらの複合機等に適用して好適な画像形成装置及び情報表示方法に関するものである。
【背景技術】
【０００２】
近年、任意の画像情報に基づいて画像を形成する白黒及びカラー用のプリンタや複写機、これらの複合機が使用される場合が多くなってきた。例えば、白黒用の画像形成装置は、露光手段、現像装置、感光体ドラム及び定着装置から成る画像形成手段を備えている。露光手段では任意の画像情報に基づいて感光体ドラムに静電潜像を描くようになされる。現像装置では感光体ドラムに描かれた静電潜像に黒色のトナー剤を付着して現像する。トナー像は、感光体ドラムから用紙に転写された後に定着装置によって定着される。これにより、給紙トレイから繰り出された用紙に画像を形成することができる。
【０００３】
これらの一連の画像形成処理に関して、画像情報を予めメモリに蓄積し、予約順に画像情報を読出し、この画像情報（ＪＯＢ）に基づいて画像を形成する機能を備えた画像形成装置が使用される場合が多くなってきた。しかも、近年では、大容量のハードディスク（ＨＤＤ）が実装可能になったことから、印刷ジョブの予約数も増大（例えば、１０００ジョブ予約）し、多くのＪＯＢを保存することが可能になった。
【０００４】
このような多くのＪＯＢを保存可能な画像形成装置で、予約ＪＯＢの進捗状況等を確認する場合に、ＬＣＤ表示器等の表示手段において、ＪＯＢを多数ページにまたがって表示するようになされる。これは、限られた面積のＬＣＤ表示器等で全体画像情報を一度に表示するのは困難となるためである。現状では、いくつかのページにＪＯＢを分割して表示するようになされる。更に、アップキーとダウンキーとを備え、所望のＪＯＢを検索する場合に、アップ又はダウンキーを押下することで、１ページずつ表示画面をめくり、指定ページを変更して表示するような表示制御方法が採られる。
【０００５】
例えば、この種の画像形成装置に関して、特許文献１には、印刷装置及び印刷装置の印刷ジョブ表示方法が開示されている。この印刷装置には、ＣＰＵ、アップキー及びダウンキーを備え、複数のＪＯＢがメモリに記憶される。ＣＰＵは、ホストコンピュータ等から入力される予約ＪＯＢの進行状況を一覧表表示する。アップキー又はダウンキーの表示要求に基づいてメモリ記憶された次の予約ＪＯＢ（２件分）の進捗状況や、印刷結果状態情報等をＬＣＤ表示器に表示するようになされる。このようにすると、現在処理している印刷ジョブに対して印刷指示された予約ＪＯＢがどのようなジョブ処理順位に位置付けられているかを容易に確認できるというものである。
【０００６】
【特許文献１】特開平０８−１９４５８８号公報（第３頁  図７）
【発明の開示】
【発明が解決しようとする課題】
【０００７】
ところで、従来方式のＪＯＢを保存可能な画像形成装置によれば、以下のような問題がある。
【０００８】
ｉ．予約ＪＯＢの進捗状況等を確認する場合に、ＬＣＤ表示器等の表示手段において、多数ページにまたがってＪＯＢが表示される。このような場合に、特許文献１を含めて従来方式では、アップ又はダウンキーを押下して、１ページずつ表示画面をめくり、指定ページを変更して表示しなくてはならない（単一のアップダウン検索方式）。
【０００９】
ii．このことは、印刷ジョブの予約数が増大する中、分割されたページが何百ページとなる現状で、所望のＪＯＢ（以下画像情報ともいう）を探し出すまで、アップキー又はダウンキーを押下し続けなければならない事態に陥る。従って、ユーザにとって無駄な時間となるばかりか、その検索操作性の向上に妨げとなっている。
【００１０】
そこで、この発明は上述した課題を解決したものであって、単一のアップダウン検索方式に比べて画像情報等のページ検索処理を短時間に、しかも、効率良く実行できるようにした画像形成装置及び情報表示方法を提供することを目的とする。
【課題を解決するための手段】
【００１１】
上記課題を解決するために、本発明に係る第１の画像形成装置は、任意の画像情報に基づいて画像を形成する画像形成手段と、この画像形成手段に設定するための画像情報を記述した複数ページの中から任意のページを検索するように操作される操作手段と、この操作手段によって操作される当該ページの画像情報を所定の操作画面に表示する表示手段と、操作手段から得られる操作情報に基づいて表示手段を制御する制御手段とを備え、制御手段は、表示手段の操作画面に表示する画像情報の総ページ数を取得し、ここで取得された画像情報の総ページ数が３ページを超えるか否かを判別し、画像情報の総ページ数が３ページを超える場合は、先頭ページ、中間ページ及び最終ページを指定するためのキーを表示すると共に、当該先頭キー、中間キー又は最終キーの選択を受け付け、ここで受け付けられた先頭キー、中間キー又は最終キーの選択に基づくページの画像情報を操作画面に表示することを特徴とするものである。
【００１２】
本発明に係る第１の画像形成装置によれば、任意の画像情報に基づいて画像を形成する場合に、操作手段は、画像形成手段に設定するための画像情報を記述した複数ページの中から任意のページを検索するように操作される。表示手段は所定の操作画面に、操作手段によって操作される当該ページの画像情報を表示するようになされる。制御手段は、操作手段から得られる操作情報に基づいて表示手段を制御する。
【００１３】
これを前提にして、制御手段は、操作画面に表示する画像情報の総ページ数を取得し、この画像情報の総ページ数が３ページを超えるか否かを判別し、画像情報の総ページ数が３ページを超える場合は、先頭ページ、中間ページ及び最終ページを指定するためのキーを表示すると共に、当該先頭キー、中間キー又は最終キーの選択を受け付けるようになされる。
【００１４】
従って、先頭キーが選択された場合は、先頭ページから最終ページの方向へ昇順にページを検索すること、最終キーが選択された場合は、最終ページから先頭ページの方向に降順にページを検索すること、中間キーが選択された場合は、中間ページを基準にして、当該中間ページから最終ページの方向へ昇順にページを検索すること、及び、当該中間ページから先頭ページの方向へ降順にページを検索することができる。従って、単一のアップダウン検索方式に比べてＪＯＢ情報等のページ検索処理を短時間に効率良く行うことができる。
【００１５】
本発明に係る第２の画像形成装置は、任意の画像情報に基づいて画像を形成する画像形成手段と、この画像形成手段に設定するための画像情報を記述した複数ページの中から任意のページを検索するように操作される操作手段と、この操作手段によって操作される当該ページの画像情報を所定の操作画面に表示する表示手段と、操作手段から得られる操作情報に基づいて表示手段を制御する制御手段とを備え、制御手段は、表示手段の操作画面に表示する画像情報の総ページ数を取得し、ここで取得された画像情報の総ページ数が２ページを超えるか否かを判別し、画像情報の総ページ数が２ページを超える場合は、ページを指定するためのページ指定キーを表示すると共に、当該ページ指定キーの入力を受け付け、ここで受け付けられたページ指定キーの入力に基づく指定ページの画像情報を操作画面に表示することを特徴とするものである。
【００１６】
本発明に係る第２の画像形成装置によれば、任意の画像情報に基づいて画像を形成する場合に、操作手段は、画像形成手段に設定するための画像情報を記述した複数ページの中から任意のページを検索するように操作される。表示手段は、所定の操作画面に、操作手段によって操作される当該ページの画像情報を表示するようになされる。制御手段は、操作手段から得られる操作画像情報に基づいて表示手段を制御する。
【００１７】
これを前提にして、制御手段は、操作画面に表示する画像情報の総ページ数を取得し、ここで取得された画像情報の総ページ数が２ページを超えるか否かを判別し、画像情報の総ページ数が２ページを超える場合は、ページを指定するためのページ指定キーを表示すると共に、当該ページ指定キーの入力を受け付け、ここで受け付けられたページ指定キーの入力に基づく指定ページの画像情報を操作画面に表示するようになされる。
【００１８】
従って、画像情報等の検索基準となる指定ページを任意に設定することができ、この指定ページを基準にして、当該指定ページから最終ページの方向へ昇順にページを検索すること、及び、当該指定ページから先頭ページの方向へ降順にページを検索することができる。これにより、単一のアップダウン検索方式に比べて画像情報等のページ検索処理を短時間に効率良く行うことができる。
【００１９】
本発明に係る第１の情報表示方法は、複数ページの中から任意のページを検索し、当該ページの画像情報を所定の画面に表示する方法であって、画面に表示する画像情報の総ページ数を取得し、ここで取得された画像情報の総ページ数が３ページを超えるか否かを判別し、画像情報の総ページ数が３ページを超える場合は、先頭ページ、中間ページ及び最終ページを指定するためのキーを表示すると共に、当該先頭キー、中間キー又は最終キーの選択を受け付け、ここで受け付けられた先頭キー、中間キー又は最終キーの選択に基づくページの画像情報を画面に表示することを特徴とするものである。
【００２０】
本発明に係る第１の情報表示方法によれば、複数ページの中から任意のページを検索し、当該ページの画像情報を所定の画面に表示する場合に、中間ページを基準にして、当該中間ページから最終ページの方向へ昇順にページを検索すること、及び、当該中間ページから先頭ページの方向へ降順にページを検索することができる。
【００２１】
本発明に係る第２の情報表示方法は、複数ページの中から任意のページを検索し、当該ページの画像情報を所定の画面に表示する方法であって、画面に表示する画像情報の総ページ数を取得し、ここで取得された画像情報の総ページ数が２ページを超えるか否かを判別し、画像情報の総ページ数が２ページを超える場合は、ページを指定するためのページ指定キーを表示すると共に、当該ページ指定キーの入力を受け付け、ここで受け付けられたページ指定キーの入力に基づく指定ページの画像情報を画面に表示することを特徴とするものである。
【００２２】
本発明に係る第２の情報表示方法によれば、複数ページの中から任意のページを検索し、当該ページの画像情報を所定の画面に表示する場合に、画像情報等の検索基準となる指定ページを任意に設定することができ、この指定ページを基準にして、当該指定ページから最終ページの方向へ昇順にページを検索すること、及び、当該指定ページから先頭ページの方向へ降順にページを検索することができる。
【発明の効果】
【００２３】
本発明に係る第１の画像形成装置及び情報表示方法によれば、画像形成手段を動作させるための画像情報を複数ページの中から任意のページを検索し、当該ページの画像情報を所定の画面に表示する場合に制御手段を備え、この制御手段は、画像情報の総ページ数が３ページを超えるか否かを判別し、画像情報の総ページ数が３ページを超える場合は、先頭ページ、中間ページ及び最終ページを指定するためのキーを表示すると共に、当該先頭キー、中間キー又は最終キーの選択を受け付けるようになされる。
【００２４】
この構成によって、中間ページを基準にして、当該中間ページから最終ページの方向へ昇順にページを検索すること、及び、当該中間ページから先頭ページの方向へ降順にページを検索することができる。しかも、先頭ページから最終ページの方向へ昇順にページを検索すること、及び、最終ページから先頭ページの方向に降順にページを検索することができる。従って、単一のアップダウン検索方式に比べて画像情報等のページ検索処理を短時間に効率良く行うことができる。
【００２５】
本発明に係る第２の画像形成装置及び情報表示方法によれば、任意の画像を形成する場合であって、画像形成手段を動作させるための画像情報を複数ページの中から任意のページを検索し、当該ページの画像情報を所定の画面に表示する場合に、画像情報の総ページ数が２ページを超えるか否かを判別し、この画像情報の総ページ数が２ページを超える場合は、ページを指定するためのページ指定キーを表示すると共に、当該ページ指定キーの入力を受け付け、ここで受け付けられたページ指定キーの入力に基づく指定ページの画像情報を操作画面に表示するようになされる。
【００２６】
この構成によって、画像情報等の検索基準となる指定ページを任意に設定することができる。従って、指定ページを基準にして、当該指定ページから最終ページの方向へ昇順にページを検索すること、及び、当該指定ページから先頭ページの方向へ降順にページを検索することができる。従って、単一のアップダウン検索方式に比べて画像情報等のページ検索処理を短時間に効率良く行うことができる。
【発明を実施するための最良の形態】
【００２７】
以下、図面を参照しながら、この発明の実施形態に係る画像形成装置及び情報表示方法について、説明をする。
【００２８】
図１は、本発明の実施形態としての画像形成装置１００の構成例を示す概念図である。
【００２９】
この実施形態では、画像形成手段に設定するための画像情報を記述した複数ページの中から任意のページを検索し、当該ページの画像情報を所定の画面に表示する場合に制御手段を備え、この制御手段で、画像情報の総ページ数が２ページあるいは、３ページを超えるか否かを判別し、画像情報の総ページ数が２ページを超える場合は、ページを指定するためのページ指定キーを表示すると共に、当該ページ指定キーの入力を受け付けて、ページ指定キーの入力に基づく指定ページの画像情報を操作画面に表示できるようにすると共に、画像情報等の検索基準となる指定ページを任意に設定できるようにしたものである。
【００３０】
更に、画像情報の総ページ数が３ページを超える場合は、先頭ページ、中間ページ及び最終ページを指定するためのキーを表示すると共に、当該先頭キー、中間キー又は最終キーの選択を受け付け、中間ページを基準にして、当該中間ページから最終ページの方向へ昇順にページを検索できるようにすると共に、当該中間ページから先頭ページの方向へ降順にページを検索できるようにしたものである。
【００３１】
図１に示す画像形成装置１００は、任意の画像情報に基づいて画像を形成する装置である。多数ページにまたがる画像情報（ＪＯＢ）を表示する機能を有した白黒用又はカラー用のプリンタや複写機、これらの複合機（デジタルコピア）等に適用して好適である。ここでＪＯＢとは、ハードディスク（以下ＨＤＤという）に記憶された画像ファイルをいい、ＨＤＤ読出しデータによって構成される。
【００３２】
この例で、画像形成装置１００はモノクロ画像を得る直接転写方式の複合機等を構成するものであり、装置本体Ａを有している。もちろん、装置本体Ａに後処理装置９０を連結して使用してもよい。この装置本体Ａ内には給紙トレイ３０ａ、３０ｂ、原稿読取手段１１、制御手段１５、画像書き込み部６０及び、画像形成部７０等が備えられる。
【００３３】
この装置本体Ａの上部には自動原稿給紙装置（ＡＤＦ）４０が取り付けられており、任意の原稿２０を自動給紙するように動作する。例えば、ＡＤＦ４０は原稿載置部４１、ローラ４２ａ、ローラ４２ｂ、ローラ４３、搬送ローラ４４及び排紙皿４６を有している。原稿載置部４１には一又は複数の原稿２０が載置される。原稿載置部４１の下流側にはローラ４２ａ及び４２ｂが設けられ、自動給紙モードが選択されたとき、原稿載置部４１から繰り出された原稿２０は下流側のローラ４３によってＵ字回転するように搬送される。なお、自動給紙モードが設定された場合、原稿２０の記録面は原稿載置部４１で上に向けて載置するようになされる。
【００３４】
一方、本体装置内には、原稿読取手段１１が設けられている。原稿読取手段１１には縮小型イメージセンサが使用される。また、原稿読取手段１１では、例えば、原稿２０がローラ４３によってＵ字状に反転するときに、その原稿２０の表面を読み取って原稿表面の画像データ（以下原稿画像データＤinという）を出力するようになされる。
【００３５】
原稿読取手段１１は第１のプラテンガラス５１、第２のプラテンガラス（ＡＤＦガラス）５２、光源５３、ミラー５４、５５、５６、結像光学部５７、ＣＣＤ撮像装置５８及び図示しない光学駆動部を有している。原稿読取手段１１で読み取られた原稿２０は、搬送ローラ４４により搬送されて排紙皿４６へ排紙される。
【００３６】
原稿読取手段１１には、縮小型イメージセンサを構成するＣＣＤ撮像装置５８が備えられ、このＣＣＤ撮像装置５８の出力段には画像処理手段２１が接続され、画像処理後の原稿画像データＤinが画像形成部（画像形成手段）７０に出力される。画像形成部７０では例えば、給紙トレイ３０ａ又は３０ｂのいずれか１つから繰り出された用紙３０に画像を形成するようになされる。画像形成部７０は有機感光体ドラム（以下感光体ドラムという）７１、帯電部７２、現像部７３、転写部７４、分離部７５、クリーニング部７６、搬送機構７７及び定着部７８を有している。
【００３７】
この感光体ドラム７１の上方には帯電部７２が配設され、所定の帯電電位に基づいて予め感光体ドラム７１が一様に帯電される。感光体ドラム７１の例えば斜め右上方には画像書き込み６０が設けられ、画像処理後の原稿画像データＤinに基づく所定強度のレーザ光が照射され感光体ドラム７１が露光され、その感光体ドラム７１上に静電潜像が形成される。
【００３８】
感光体ドラム７１の右側にはトナー及びキャリア（現像剤）が収容された現像部７３が配設され、画像書き込み部６０によって露光された静電潜像はトナーによって現像される。この現像部７３の下方にはレジストローラ６２や給紙トレイ３０ａ及び３０ｂ等が設けられる。装置本体Ａの右側には手差しトレイ６３が取付けられている。給紙トレイ３０ａ及び３０ｂや、手差しトレイ６３等にセットされた用紙は給紙制御によって、搬送ローラ６１、レジストローラ６２等を経て感光体ドラム７１下に搬送される。
【００３９】
感光体ドラム７１の下方には転写部７４が配設され、帯電、露光、現像を経てその感光体ドラム７１上に形成されたトナー像が、レジストローラ６２により搬送タイミング制御される用紙３０に転写される。この転写部７４に隣接して分離部７５が設けられ、トナー像を転写した用紙３０が感光体ドラム７１から分離される。この分離部７５の下流側には搬送機構部７７が設けられ、その終端部には定着部７８が設けられる。定着部７８は用紙３０に転写されたトナー像を定着する。搬送機構部７７と上述の帯電部７２との間であって、感光体ドラム７１に対向してクリーニング部７６が設けられ、感光体ドラム７１に残留したトナーがクリーニングされる。
【００４０】
この例で両面コピーが選択されると、一方の用紙面（表面）に画像形成され、定着部７８から排出された用紙３０の裏面にも画像が形成される。定着部７８から排出された用紙３０は分岐手段９１によりシート排紙路から分岐され、それぞれ給紙手段２３を構成する下方の反転ローラ９２や、反転部９３等により表裏を反転され、反転後の用紙３０は反転搬送路９４を通過して給紙ローラ６１の手前において通常の給紙路と合流する。
【００４１】
ここで反転搬送された用紙３０は、レジストローラ６２を経て、再度、転写部７４に搬送され、用紙３０の他方の面（裏面）上にトナー像が転写される。トナー像が転写された用紙３０は、定着部７８により定着処理され、排紙ローラ９５に挟持されて機外の排紙トレイ９６等に排紙される。上述の処理で画像形成が完了した用紙３０は排紙トレイ９６に限られることはなく、後処理装置９０によってステープル処理や綴じ込み処理等を行われる場合もある。
【００４２】
これらの画像形成の際には、用紙３０として５２．３〜６３．９ｋｇ／ｍ2（１０００枚）程度の薄紙や６４．０〜８１．４ｋｇ／ｍ2（１０００枚）程度の普通紙や８３．０〜１３０．０ｋｇ／ｍ2（１０００枚）程度の厚紙や１５０．０ｋｇ／ｍ2（１０００枚）程度の超厚紙が用いられる。画像形成条件としては、線速度を８０〜６００ｍｍ／ｓｅｃ程度とし、環境条件として温度を５〜３５℃程度、湿度を１５〜８５％程度の設定条件とすることが好ましい。用紙３０の厚み（紙厚）としては０．０５〜０．１５ｍｍ程度の厚さのものが用いられる。
【００４３】
図２は画像形成装置１００の制御系の構成例を示すブロック図である。図２に示す画像形成装置１００は制御手段１５を有している。
【００４４】
制御手段１５には上述した原稿読取手段１１や画像メモリ１３、画像処理手段２１が接続される。原稿読取手段１１で読み取られた原稿画像データＤinは、制御手段１５のメモリ制御を受けて画像メモリ１３に格納される。画像メモリ１３に格納された原稿画像データＤinは画像処理手段２１で画像処理される。画像処理後の原稿画像データＤoutは画像形成部７０へ転送される。
【００４５】
制御手段１５には操作手段１４が接続され、画像形成部７０に設定するための画像情報の一例となるＪＯＢ（ＨＤＤ読出しデータ）を記述した複数ページの中から任意のページを検索するように操作される。操作手段１４はＪＯＢの選択の他に、用紙サイズ、画像濃度等の画像形成条件を設定したり、表示項目を並び替える際にも使用される。画像形成条件やＪＯＢ選択情報等は操作データ（操作情報）Ｄ３となって制御手段１５に出力される。上述のＪＯＢは、例えば、原稿画像データＤinと、操作手段１４等により設定された画像形成条件（データ）から構成される。また、ＪＯＢは、上位のホストコンピュータから出力される画像データＤin’＋画像形成条件データの場合もある。
【００４６】
制御手段１５には操作手段１４の他に表示手段１８が接続され、操作手段１４によって操作される当該ページのＪＯＢを所定の操作画面に表示するように動作する。例えば、表示手段１８はＨＤＤ画像読出し画面を表示し、その１ページには、ＪＯＢの見出し表示項目を８個乃至１０個程度を表示される。操作手段１４は、タッチパネルから構成され、表示手段１８は液晶表示パネルから構成される。この例では、表示手段１８を構成する液晶表示パネル上に、操作手段１４を構成するタッチパネルが組み合わされ、ＧＵＩ（Graphic User Interface）方式の操作パネル４８が構成される。
【００４７】
この例で制御手段１５は操作手段１４から得られる操作データＤ３に基づいて、表示手段１８及び画像形成部７０等を制御する。制御手段１５はＲＯＭ（Read Only Memory）２４、ＲＡＭ（Random Access Memory）２６、ＣＰＵ（Central Processing Unit；中央処理ユニット）２５を有している。ＲＯＭ２４には当該画像形成装置全体を制御するためのシステムプログラムデータが格納される。ＲＡＭ２６はワークメモリとして使用され、例えば、制御コマンド等を一時記憶するようになされる。ＣＰＵ２５は電源がオンされると、ＲＯＭ２４からシステムプログラムデータを読み出してシステムを起動し、操作手段１４からの操作データＤ３に基づいて当該画像形成装置全体を制御するようになされる。
【００４８】
この例で、制御手段１５は表示手段１８のＨＤＤ画像読出し画面に表示するＪＯＢの総ページ数を取得し、ここで取得されたＪＯＢの総ページ数が３ページを超えるか否かを判別し、ＪＯＢの総ページ数が３ページを超える場合は、先頭ページ、中間ページ及び最終ページを指定するためのキーを表示すると共に、当該先頭キー、中間キー又は最終キーの選択を受け付け、ここで受け付けられた先頭キー、中間キー又は最終キーの選択に基づくページのＪＯＢをＨＤＤ画像読出し画面に表示する。
【００４９】
制御手段１５は、先頭キー、中間キー又は最終キーの入力に応じて総ページ数より適切なページを算出し、ここで算出されたページのＪＯＢを画面に表示する。制御手段１５は、例えば、中間キーの入力に応じて総ページ数を略半分に分割するページを検索し、ここで検索されたページのＪＯＢを画面に表示する。このようにすると、先頭キーが選択された場合は、先頭ページのＪＯＢを表示できる、中間キーが選択された場合は、中間ページのＪＯＢを表示できる、又は最終キーが選択された場合は、最終ページのＪＯＢを表示することができる。
【００５０】
この例で操作パネル４８には、アップ・ダウンキーが備えられ、先頭キーが選択された場合は、先頭ページから最終ページの方向へ昇順にページを検索し、最終キーが選択された場合は、最終ページから先頭ページの方向に降順にページを検索し、中間キーが選択された場合は、中間ページを基準にして、当該中間ページから最終ページの方向へ昇順にページを検索し、又は、当該中間ページから先頭ページの方向へ降順にページを検索するように操作される（第１の画像形成装置）。
【００５１】
この例で制御手段１５には情報処理手段５０が接続され、ＨＤＤ画像読出し画面に表示された当該ページのＪＯＢを操作手段１４による操作に基づいて並び替えるように動作する。例えば、情報処理手段５０は、ローカルなＣＰＵ、ＲＡＭ等を有したマイクロプロセッサから構成され、当該ページ内にまたがるＪＯＢの表示項目を操作データＤ３に基づいて並び替えたり、表示順を変更したりする表示切換機能を有するものである（ＪＯＢ編集機能）。ＪＯＢはＪＯＢファイル名称をアルファベット順又はＪＯＢファイルを作成日順により並び替えが実行される。これにより、ユーザがＨＤＤ画像読出し画面で選択したＪＯＢを頭文字又は作成日を基準に検索（認識）すれば、ＪＯＢを探し出す手間を省くことが可能となる。
【００５２】
制御手段１５には操作パネル４８の他にハードディスク（ＨＤＤ）１６等の不揮発メモリが接続され、ＪＯＢを記憶して画像形成管理するようになされる。例えば、操作パネル４８により並び替えられたＪＯＢを登録するように動作する。不揮発メモリには、ＨＤＤ１６の他にＥＥＰＲＯＭを使用してもよい。ＨＤＤ１６やＥＥＰＲＯＭ等はデータの書替えが可能で電源を切ってもデータが消去されないメモリである。
【００５３】
制御手段１５には図１に示したような画像形成部７０が接続され、任意のＪＯＢに基づいて画像を形成するようになされる。例えば、操作パネル４８でＨＤＤ画像読出し画面等で選択されたＪＯＢに基づいて画像を形成するように動作する。制御手段１５は、画像処理後の原稿画像データＤout又はプリントデータＤin’を画像形成部７０に出力して画像形成制御をする。
【００５４】
制御手段１５には画像形成部７０の他に通信手段１９が接続される。通信手段１９はＬＡＮ等の通信回線に接続され、外部のコンピュータ等と通信処理する際に使用される。当該画像形成装置１００をプリンタとして使用する場合に、そのプリントモード時に、通信手段１９は外部のコンピュータからプリントデータＤin’を受信するように使用される。
【００５５】
制御手段１５には給紙手段２３が接続され、プリントモード時に、給紙制御信号Ｓｆに基づいて給紙トレイ３０ａ及び３０ｂを制御する。給紙制御信号Ｓｆは制御手段１５から給紙手段２３へ供給される。例えば、給紙手段２３は操作パネル４８によって選択された給紙トレイ３０ａ等から用紙３０を繰り出して画像形成部７０へ給紙するようになされる。給紙手段２３には図示ない送り出しローラや、給紙ローラ等を駆動するモータや、当該モータを駆動するための駆動制御用ＩＣが使用される。
【００５６】
なお、制御手段１５は、ＪＯＢの総ページ数が２ページを超えるか否かを判別し、ＪＯＢの総ページ数が２ページを超える場合は、ページを指定するためのページ指定キーを表示すると共に、当該ページ指定キーの入力を受け付け、ここで受け付けられたページ指定キーの入力に基づく指定ページのＪＯＢをＨＤＤ画像読出し画面に表示するようになされる。上述のアップ・ダウンキーは、指定ページを基準にして、当該指定ページから最終ページの方向へ昇順にページを検索し、又は、当該指定ページから先頭ページの方向へ降順にページを検索するように操作される（第２の画像形成装置）。
【００５７】
図３は、画像形成装置１００におけるＨＤＤ画像読出し画面Ｐ１１の表示例を示す概念図である。図３に示すＨＤＤ画像読出し画面Ｐ１１は、操作パネル４８で、例えば、図示しない基本設定画面等で「ＨＤＤ画像読出し」のアイコン等を選択することで表示手段１８に表示される。基本設定画面は、例えば電源ＯＮ後、図示しないウェイクアップ画面及びウオームアップ画面等に続いて表示手段１８に表示される。
【００５８】
ＨＤＤ画像読出し画面Ｐ１１は、ハードディスク１６内に保存されているＪＯＢを選択する場合に表示される。ＨＤＤ画像読出し画面Ｐ１１は、メッセージエリアＡＲ１や、ＪＯＢ表示エリアＡＲ２、選択ＪＯＢ表示エリアＡＲ３及び操作ボタン表示エリアＡＲ４等から構成される。メッセージエリアＡＲ１には「ＪＯＢを選択して下さい」等のメッセージが表示される。メッセージエリアＡＲ１の右端には「１／１」の文字情報が表示される。これは表示ページ／総ページを示しており、ＪＯＢの数が１ページだけ登録された場合を示している。つまり、１ページ分しか表示できない数のＪＯＢがハードディスク１６に蓄積されている場合である。
【００５９】
メッセージエリアＡＲ１の下方には、ＪＯＢ表示エリアＡＲ２が割当てられ、この例では、既に選択されたＪＯＢを除いて、残り８個のＪＯＢが表示されている。ユーザはＪＯＢ表示エリアＡＲ２に表示された中からＪＯＢを選択するようになされる。ＪＯＢはＪＯＢファイル名称に作成日を付加して表示される。図３の例では、第１番目のＪＯＢファイル名称が例えば、「ＡＢＣＤ２２２２」で、作成日が「１９９９／１１／１７」である。第１番目のＪＯＢの上方には、既に選択されたＪＯＢでそのファイル名称が例えば、「ＡＢＣＤ１１１１」で、作成日が「１９９９／１１／０３」のＪＯＢに関してその表示色が反転している。
【００６０】
第２番目のＪＯＢファイル名称が例えば、「ＥＦＧＨ３３３３」で、作成日が「１９９９／１１／１９」である。第３番目のＪＯＢファイル名称が例えば、「ＥＦＧＨ３３３３」で、作成日が「１９９９／１１／９」である。第４番目のＪＯＢファイル名称が例えば、「ＦＦＦＦ３３３３」で、作成日が「１９９９／１１／９」である。
【００６１】
第５番目のＪＯＢファイル名称が例えば、「ＦＧＨＩ３３３３」で、作成日が「１９９９／１１／９」である。第６番目のＪＯＢファイル名称が例えば、「ＦＨＩＪ３３３３」で、作成日が「１９９９／１１／９」である。第７番目のＪＯＢファイル名称が例えば、「ＦＩＪＫ３３３３」で、作成日が「１９９９／１１／９」である。第８番目のＪＯＢファイル名称が例えば、「ＦＪＫＬ３３３３」で、作成日が「１９９９／１１／９」である。
【００６２】
ＪＯＢはアルファベット順又は作成日の若い順に表示される。この際の選択はキーオペレータによって設定される。本発明ではアルファベット順にＪＯＢの並び替えを実行する。この並び替え操作によって、ハードディスク内のＪＯＢはアルファベット順に並び替えられる。作成日の若い順を選択した場合は、ハードディスク内のＪＯＢは作成日の若い順に並び替えられる。
【００６３】
このＪＯＢ表示エリアＡＲ２には、右向き矢印に示すカーソルキーＫ１及び左向き矢印に示すカーソルキーＫ２が表示される。これらのカーソルキーＫ１及びＫ２は、ＪＯＢを選択し、ハードディスク１６からＪＯＢを読み出す際に使用される。この例でＪＯＢ表示エリアＡＲ２の右側には、選択ＪＯＢ表示エリアＡＲ３が設けられ、カーソルキーＫ１によって選択されたＪＯＢを表示するようになされる。
【００６４】
この例は、ＪＯＢに関して、ＪＯＢファイル名称が例えば、「ＡＢＣＤ１１１１」で、作成日が「１９９９／１１／０３」が既に選択され、このＪＯＢを選択ＪＯＢ表示エリアＡＲ３に表示している場合である。なお、選択ＪＯＢ表示エリアＡＲ３からＪＯＢ表示エリアＡＲ２へＪＯＢを戻す場合は、カーソルキーＫ２が使用される。この例で、ＪＯＢはハードディスク１６に格納されて管理される。
【００６５】
ＪＯＢ表示エリアＡＲ２の下方には、操作ボタン表示エリアＡＲ４が割当てられ、この例では、「前画面」キーＫ３及び「ＯＫ」キーＫ４が表示される。「前画面」キーＫ３は当該から基本設定画面に戻る際に操作される。「ＯＫ」キーＫ４は、ＪＯＢ選択を確認する際に操作される。操作ボタン表示エリアＡＲ３には、これらのキーＫ３及びＫ４の他に、ＪＯＢの登録に応じたページ数に従って、他のキーを表示するようになされる。
【００６６】
図４は、画像形成装置１００におけるＨＤＤ画像読出し画面Ｐ１２の表示例を示す概念図である。
【００６７】
図４に示すＨＤＤ画像読出し画面Ｐ１２は、ＪＯＢが増加して２ページ目に入ったために、図３に示したＨＤＤ画像読出し画面Ｐ１１からＨＤＤ画像読出し画面Ｐ１２へ表示が遷移したものである。図４において、メッセージエリアＡＲ１の右端に表示された「１／２」は、表示ページ／総ページを示しており、ＪＯＢの数が２ページ分登録され、そのＪＯＢの１ページ目を表示している場合を示している。つまり、２ページ分のＪＯＢがハードディスク１６に蓄積されている場合である。
【００６８】
この例で、図３に示したＨＤＤ画像読出し画面Ｐ１１に比べて、ＨＤＤ画像読出し画面Ｐ１２の操作ボタン表示エリアＡＲ４には、上向き矢印に示すアップキーＫ５及び下向き矢印に示すダウンキーＫ６と、ページ指定キーＫ７が表示される。
【００６９】
アップキーＫ５はＪＯＢ表示エリアＡＲ２に表示されたページを１ページずつ上方向に移動（アップ）する際に操作（押下）される。ダウンキーＫ６はＪＯＢ表示エリアＡＲ２に表示されたページを１ページずつ下方向に移動（ダウン）する際に操作される。例えば、ＪＯＢ表示エリアＡＲ２に１ページが表示されている場合であって、当該ＪＯＢを５５ページ目に移動する場合は、従来方式と同様にしてアップキーＫ５を５５回だけ押下するように操作される。本発明方式では、ページ指定キーＫ７が備えられるので、アップキーＫ５等の押下回数を大幅に低減できる。
【００７０】
ページ指定キーＫ７は、ＪＯＢを記述したページを制御手段１５に指定する際に操作される。図２に示した操作パネル４８は、当該ページ指定キーＫ７の入力を受け付ける。制御手段１５は、当該ページ指定キーＫ７の入力に基づく指定ページのＪＯＢをＨＤＤ画像読出し画面Ｐ１２に表示すると共に、ＪＯＢ等の検索基準となる指定ページを任意に設定するようになされる。なお、総ページが１ページである場合は、アップキーＫ５、ダウンキーＫ６及びページ指定キーＫ７は表示されない（図３参照）。
【００７１】
図５は、画像形成装置１００におけるＨＤＤ画像読出し画面Ｐ１３の表示例を示す概念図である。
【００７２】
図５に示すＨＤＤ画像読出し画面Ｐ１３は、ＪＯＢが増加して３ページを超えたために、図４に示したＨＤＤ画像読出し画面Ｐ１２からＨＤＤ画像読出し画面Ｐ１３へ表示が遷移したものである。図５において、メッセージエリアＡＲ１の右端に表示された「１／１００」は、表示ページ／総ページを示しており、ＪＯＢの数が１００ページ分登録され、そのＪＯＢの１ページ目を表示している場合を示している。つまり、１００ページ分のＪＯＢがハードディスク１６に蓄積されている場合である。
【００７３】
この例で、図４に示したＨＤＤ画像読出し画面Ｐ１２に比べて、ＨＤＤ画像読出し画面Ｐ１３の操作ボタン表示エリアＡＲ４には、アップキーＫ５、ダウンキーＫ６及びページ指定キーＫ７に加えて、先頭キーＫ８、中間キーＫ９及び最終キーＫ１０が表示される。
【００７４】
先頭キーＫ８は、ＪＯＢ表示エリアＡＲ２で総ページの先頭ページに表示ページを移動させる際に操作（押下）される。中間キーＫ９は、総ページの真ん中のページに表示ページを移動させる際に操作される。例えば、ＪＯＢの総ページが１００ページの場合に、中間キーＫ９を押下すると、その半分の５０ページ目に表示ページを移動できるようになされている。最終キーＫ１０は、総ページの最終ページに表示ページを移動させる際に操作される。
【００７５】
これらのキー配置は、ユーザが選択したいとするＪＯＢがどこのページに配置されているかを素早く検索可能とするためである。このような場合に、上述した先頭キーＫ８、中間キーＫ９及び最終キーＫ１０や、ページ指定キーＫ７を使用して探すこととなる。なお、総ページが３ページ未満である場合は、先頭キー、中間キー、最終キーの各々は表示されない（図３及び図４参照）。
【実施例１】
【００７６】
続いて、本発明に係る第１の情報表示方法について説明をする。図６は本発明に係る各実施例におけるＨＤＤ画像読出し画面Ｐ１１等の表示制御例を示すフローチャートである。
【００７７】
この例ではＪＯＢを一覧表示するために指定された並び順に従ってＪＯＢの並び替えを実施する。例えば、キーオペレータ用のメニュー画面で、ＪＯＢの並べ替え処理に関して、デフォルト設定としてアルファベット順、例外設定として作成日順が準備されている。オペレータによって「作成日順」が設定されない場合は、「アルファベット順」をデフォルト設定するようになされる。
【００７８】
これを並べ替え処理条件にして、図６に示すフローチャートのステップＡ１で「アルファベット」が指示されたかを判別する。この際に、制御手段１５は、「アルファベット」のアイコン及び、「作成日」のアイコンを図示せずも、ＨＤＤ画像読出し画面上に表示し、いずれかのアイコンをオペレータに選択させることによって、「アルファベット」が指示されたかを判別する。このとき、時限方式によって、所定時間内に「作成日」のアイコンが選択されない場合も、「アルファベット順」をデフォルト設定するようになされる。
【００７９】
ステップＡ１で「アルファベット」のアイコンが押下され、アルファベット順が指示された場合は、ステップＡ２に移行して制御手段１５は「アルファベット順」を情報処理手段５０に設定する。情報処理手段５０は、図２に示したハードディスク１６内で、表示切換機能を利用して、当該ページ内にまたがるＪＯＢの表示項目をアルファベット順に並び替え、当該ページのＪＯＢの表示順を変更するように動作する（図３参照）。その後、ステップＡ４に移行する。
【００８０】
また、ステップＡ１で「アルファベット」が指示されず、所定時間内に「作成日」のアイコンが押下された場合は、ステップＡ３に移行して制御手段１５は「作成日順」を情報処理手段５０に設定する。情報処理手段５０は、ＪＯＢ表示エリアＡＲ２で、当該ページのＪＯＢを作成日順に並び替えるように動作する。
【００８１】
その後、ステップＡ４に移行して、制御手段１５は、ハードディスク１６に登録されたＪＯＢの総数からＪＯＢ表示エリアＡＲ２に表示可能な総ページを算出する。例えば、ＪＯＢの総数が「１０００」の場合であって、当該ＪＯＢ表示エリアＡＲ２に１０個のＪＯＢが表示可能な場合は、総ページ数は１００ページとなる。
【００８２】
そして、ステップＡ５に移行して、１ページ（先頭ページ）目のＪＯＢをＪＯＢ表示エリアＡＲ２に表示する。ユーザはＨＤＤ画像読出し画面Ｐ１１等に表示されたＪＯＢの中から所望のＪＯＢを選択するようになされる。このとき、ユーザは、ＨＤＤ画像読出し画面Ｐ１１のＪＯＢ表示エリアＡＲ２でアルファベットの頭文字を基準にＪＯＢを検索（認識）することができ、ＪＯＢを素早く選択できるようになる。
【００８３】
図７は、第１の実施例に係る先頭キー、中間キー及び最終キーの表示制御例を示すフローチャートである。
【００８４】
この実施例では、複数ページの中から任意のページを検索し、当該ページのＪＯＢをＨＤＤ画像読出し画面Ｐ１１に表示する場合を前提とする。上述の並べ替え処理と同時に総ページ数を算出し、一覧表示を行うＪＯＢが多数ページにまたがる場合は、一覧表示画面下に、先頭キーＫ８、中間キーＫ９、最終キーＫ１０を配置するようになされる。
【００８５】
つまり、ＪＯＢの総ページ数が３ページを超える場合は、先頭ページ、中間ページ及び最終ページを指定するためのキーを表示する場合を想定する。この例でＪＯＢの総ページ数が３ページを超える場合は、既に、ＪＯＢの総ページ数が２ページを超えているので、ページ指定キーＫ７が表示されるが、これについては図９及び図１０で分けて説明をする。
【００８６】
これらをキー表示条件として、制御手段１５は、図７に示すフローチャートのステップＢ１でＨＤＤ画像読出し画面Ｐ１１に表示するＪＯＢの総ページ数を取得する。このとき、図６に示した表示制御フローチャートのステップＡ４で算出した総ページを参照する。先の例では、ＪＯＢの総数が「１０００」の場合は、総ページ数が１００ページである。
【００８７】
そして、制御手段１５は、ステップＢ２に移行して、ＪＯＢの総ページ数が３ページを超えるか否かを判別する。このとき、ＪＯＢの総ページ数と、比較基準値である３ページとが比較される。先の例では、ＪＯＢの総ページ数が１００ページである。従って、ＪＯＢの総ページ数が３ページを超えている。
【００８８】
この場合は、ステップＢ３に移行して、例えば、アップキーＫ５及びダウンキーＫ６を先に表示した後に、ステップＢ４に移行して先頭ページ、中間ページ及び最終ページを指定するための先頭、中間及び最終キーＫ８〜Ｋ１０をＨＤＤ画像読出し画面Ｐ１１の操作ボタン表示エリアＡＲ４に表示する。なお、この時点で既に、ＪＯＢの総ページ数が２ページを超えているので、ページ指定キーＫ７が表示されるが、これについては図９及び図１０で説明する。
【００８９】
また、ステップＢ２で、ＪＯＢの総ページ数が３ページを超えていない場合、つまり、ＪＯＢの総ページ数が１ページを超え、２ページ以下の場合は、比較基準値＝３ページと比較しても、総ページ数が３ページを超えないのでステップＢ５に移行して、アップキーＫ５及びダウンキーＫ６を操作ボタン表示エリアＡＲ４に表示するようになされる。
【００９０】
図８は、先頭キー、中間キー及び最終キーによるページ表示制御例を示すフローチャートである。
【００９１】
この例では、ＪＯＢの総ページ数が３ページを超え、操作ボタン表示エリアＡＲ４には、アップキーＫ５及びダウンキーＫ６と、先頭キーＫ８、中間キーＫ９及び最終キーＫ１０とが表示されている場合を前提とする。また、当該先頭キーＫ８、中間キーＫ９又は最終キーＫ１０の選択を受け付け、ここで受け付けられた先頭キーＫ８、中間キーＫ９又は最終キーＫ１０の操作と、アップキーＫ５及びダウンキーＫ６の操作とに基づくページのＪＯＢをＪＯＢ表示エリアＡＲ２に表示する場合を例に挙げる。各キーＫ８〜Ｋ１０は、総ページ数より適切なページを割り出して指定されたページ数を表示する。例えば、総ページ数が１０ページの場合は、先頭ページは１Ｐ（ページ）、中間ページは５Ｐ、最終ページは１０Ｐである。
【００９２】
これらをページ表示制御条件にして、まず、図８に示すフローチャートのステップＣ１で制御手段１５は先頭キーＫ８をオンされたか否かを判別する。このとき、操作手段１４は先頭キーＫ８をオンされたか否かを検出する。先頭キーＫ８をオンされると、図示しない先頭キーオン信号に基づく操作データＤ３を制御手段１５に出力する。制御手段１５は例えば、操作データＤ３をデコードして先頭キーＫ８がオンされたことを判別する。
【００９３】
従って、先頭キーＫ８がオンされた場合は、ステップＣ２に移行して制御手段１５は先頭ページ情報をセットする。このとき、先頭ページのＪＯＢ（表示項目）に係る表示データＤ２が制御手段１５から表示手段１８へ出力される。そして、ステップＣ７に移行して当該ページ表示処理を実行する。このとき、表示手段１８は表示データＤ２に基づいて先頭ページのＪＯＢをＪＯＢ表示エリアＡＲ２に表示する。
【００９４】
上述のステップＣ１で先頭キーＫ８が押下されない場合は、ステップＣ３に移行して、制御手段１５は中間キーＫ９をオンされたか否かを判別する。このとき、操作手段１４は中間キーＫ９をオンされたか否かを検出する。中間キーＫ９がオンされると、図示しない中間キーオン信号に基づく操作データＤ３を制御手段１５に出力する。制御手段１５は例えば、操作データＤ３をデコードして中間キーＫ９がオンされたことを判別する。
【００９５】
従って、中間キーＫ９がオンされた場合は、ステップＣ４に移行して中間ページを算出し、中間ページ情報をセットする。このとき、中間ページは、総ページ数を２分（総ページ数÷２）することで算出される。先の例では、総ページ数が１００ページであるので、中間ページは５０ページとなる。中間ページのＪＯＢに係る表示データＤ２は、制御手段１５から表示手段１８へ出力される。そして、ステップＣ７に移行して当該ページ表示処理を実行する。このとき、表示手段１８は表示データＤ２に基づいて中間ページのＪＯＢをＪＯＢ表示エリアＡＲ２に表示する。
【００９６】
更に、ステップＣ３で中間キーＫ９が押下されない場合は、ステップＣ５に移行して、制御手段１５は最終キーＫ１０をオンされたか否かを判別する。このとき、操作手段１４は最終キーＫ１０をオンされたか否かを検出する。最終キーＫ１０がオンされると、図示しない最終キーオン信号に基づく操作データＤ３を制御手段１５に出力する。制御手段１５は例えば、操作データＤ３をデコードして最終キーＫ１０がオンされたことを判別する。
【００９７】
従って、最終キーＫ１０がオンされた場合は、ステップＣ６に移行して最終ページを参照し、最終ページ情報をセットする。先の例では、総ページ数が１００ページであるので、最終ページは１００ページである。最終ページのＪＯＢ（表示項目）に係る表示データＤ２は、制御手段１５から表示手段１８へ出力される。そして、ステップＣ７に移行して当該ページ表示処理を実行する。このとき、表示手段１８は表示データＤ２に基づいて最終ページのＪＯＢをＪＯＢ表示エリアＡＲ２に表示する。
【００９８】
その後、ステップＣ８に移行して制御手段１５はキー操作がなされたか否かをチェックする。キー操作がなされない場合は、ステップＣ７に戻って当該ページ表示処理を継続するようになされる。ステップＣ８でキー操作がなされた場合は、ステップＣ９に移行して、Ｕ／Ｄキー又は、他のキーの操作に基づいて制御を分岐する。ここでＵ／Ｄキーとは、アップ（Ｕ）キーＫ５及び、ダウン（Ｄ）キーＫ６をいい、他のキーとは、先頭キーＫ８、中間キーＫ９又は最終キーＫ１０をいうものとする。
【００９９】
他のキーの場合は、ステップＣ１に戻って上述した処理を繰り返すようになされる。Ｕ／Ｄキーの場合は、ステップＣ１０に移行してアップキーＫ５が押下された場合、又は、ダウンキーＫ６が押下された場合により制御を分岐する。アップキーＫ５が押下された場合は、ステップＣ１１に移行してアップページの情報表示処理を実行する。このとき、表示手段１８は表示データＤ２に基づいてアップページのＪＯＢをＪＯＢ表示エリアＡＲ２に表示する。ステップＣ１０でダウンキーＫ６が押下された場合は、ステップＣ１２に移行してダウンページの情報表示処理を実行する。このとき、表示手段１８は表示データＤ２に基づいてダウンページのＪＯＢをＪＯＢ表示エリアＡＲ２に表示する。
【０１００】
その後、ステップＣ８に戻って、制御手段１５はキー操作がなされたか否かをチェックする。キー操作がなされない場合は、ステップＣ７に戻って当該ページ表示処理を継続するようになされる。例えば、先のステップＣ１２でダウンページの情報表示処理が実行されていた場合は、そのダウンページのＪＯＢをＪＯＢ表示エリアＡＲ２に表示されたままになる。そして、上述した処理を繰り返すようになされる。
【０１０１】
このように本発明に係る第１の実施例に係る画像形成装置及び情報表示方法によれば、任意のＪＯＢに基づいて画像を形成する場合に、制御手段１５は、ＨＤＤ画像読出し画面Ｐ１１に表示するＪＯＢの総ページ数を取得し、このＪＯＢの総ページ数が３ページを超えるか否かを判別し、ＪＯＢの総ページ数が３ページを超える場合は、先頭ページ、中間ページ及び最終ページを指定するためのキーＫ８〜Ｋ１０を表示すると共に、当該先頭キーＫ８、中間キーＫ９又は最終キーＫ１０の選択を受け付けるようになされる。
【０１０２】
従って、先頭キーＫ８が選択された場合は、先頭ページから最終ページの方向へ昇順にページを検索すること、最終キーＫ１０が選択された場合は、最終ページから先頭ページの方向に降順にページを検索すること、中間キーＫ９が選択された場合は、中間ページを基準にして、当該中間ページから最終ページの方向へ昇順にページを検索すること、及び、当該中間ページから先頭ページの方向へ降順にページを検索することができる。つまり、中間キーＫ９を配置したので、略半分のページからアップページ又はダウンページを検索することができる。
【０１０３】
通常、ユーザは利用しようとするページがどの位置にあるかが判らないが、従来方式では、アップキー及びダウンキーにより１ページずつページをめくって、選択したいＪＯＢが配置されているかを確認しながらページ検索を実行してした。これによると、従来方式では、数十回のアップキーやダウンキーの押下の確認が必要となっていた。
【０１０４】
これに対して本発明方式によれば、中間キーＫ９にてＪＯＢを探すことができるので、先の例で総ページ数が１０ページの場合に、ＪＯＢの頭文字が、例えば「Ｆ」であれば、中間キーＫ９を押下することで、ＪＯＢ表示エリアＡＲ２に検索の目安となる中間ページを表示することができ、この中間ページから、例えば、５ページ程度前であろう等を予想することができる。その後、中間ページを検索開始ページとして、アップキーＫ５又はダウンキーＫ６を操作してページを進め又は後退し、ＪＯＢを探し出すことができるようになる。
【０１０５】
これにより、画像形成に必要なＪＯＢを探し出すために、無駄なオペレートを実施することなく、必要なＪＯＢが含まれるページを探し出すことができ、従来方式の単一のアップダウン検索方式に比べてＪＯＢ等のページ検索処理を短時間に効率良く実行できるようになった。
【実施例２】
【０１０６】
図９は本発明に係る第２の実施例に係るＨＤＤ画像読出し画面上のポップアップ画面Ｐ２の表示例を示す構成図である。
【０１０７】
この実施例では、ＨＤＤ画像読出し画面Ｐ１２に表示された当該ページのＪＯＢを並び替える機能に加えて、ＪＯＢを記述した複数ページの中から任意のページを検索し、当該ページのＪＯＢを所定の画面に表示する場合に、制御手段１５で、ＪＯＢの総ページ数が２ページを超えるか否かを判別し、ＪＯＢの総ページ数が２ページを超える場合は、ページを指定するためのページ指定キーＫ７を表示する。このページ指定キーＫ７の入力を受け付けて、当該ページ指定キーＫ７の入力に基づく指定ページのＪＯＢをポップアップ画面Ｐ２に表示できるようにすると共に、ＪＯＢ等の検索基準となる指定ページを任意に設定できるようにしたものである（第２の情報表示方法）。
【０１０８】
図９に示す画像形成装置１００は、ユーザによって指定された並び順に従って、ＪＯＢの並び替え処理を実行する。このＪＯＢを並べた一覧表ページが複数ページにまたがる場合は、操作ボタン表示エリアＡＲ４にページ指定キーＫ７を表示する。この例で図２に示した制御手段１５は、ページ指定キーＫ７が押下されると、指定ページを入力するポップアップ画面Ｐ２をＨＤＤ画像読出し画面Ｐ１２上に表示するように表示手段１８を制御する。
【０１０９】
ポップアップ画面Ｐ２には、メッセージエリアＡＲ５が設けられ、「表示したいページを入力して下さい」等の文字情報が表示される。このメッセージエリアＡＲ５にはページ記述領域ＡＲ６が表示され、当該ポップアップ画面Ｐ２上でページ指定を受け付けるようになされる。ページ記述領域ＡＲ６には、指定ページを示す数値が入力される。ユーザは、テンキー等を使用して指定ページを示す数値を入力するようになされる。メッセージエリアＡＲ５の下方には「ＯＫ」キーＫ１１が表示される。ＯＫキーＫ１１の押下によって、ページ入力完了となり、制御手段１５は、指定されたページの一覧表示処理を実行する。
【０１１０】
図１０は、ページ指定キーＫ７の表示制御例を示すフローチャートである。この例で、ＪＯＢの総ページ数が２ページを超えるか否かを判別し、ＪＯＢの総ページ数が２ページを超える場合は、ページを指定するためのページ指定キーＫ７を表示する場合を前提とする。
【０１１１】
これを表示制御条件にして、図１０に示すフローチャートのステップＥ１で制御手段１５はＪＯＢの総ページ数を取得する。このとき、図６に示した表示制御フローチャートのステップＡ４で算出した総ページを参照する。例えば、ＪＯＢの総数が「１８」の場合は、総ページ数が２ページである。そして、ステップＥ２で制御手段１５はＪＯＢの総ページ数が２ページ以上か否かを判別する。このとき、ＪＯＢの総ページ数と、比較基準値である２ページとが比較される。先の例では、ＪＯＢの総ページ数が２ページである。従って、ＪＯＢの総ページ数が２ページ以上である。なお、ＪＯＢの総ページ数が２ページ未満である場合は表示制御を終了する。
【０１１２】
ステップＥ２で総ページ数が２ページ以上である場合は、ステップＥ３に移行して制御手段１５はアップキーＫ５及びダウンキーＫ６を表示する。そして、ステップＥ４に移行してページ指定キーＫ７を表示する。ページ指定キーＫ７は図４に示したように、ＨＤＤ画像読出し画面Ｐ１２の操作ボタン表示エリアＡＲ４に表示するようになされる。これにより、指定ページを基準にして、当該指定ページから最終ページの方向へ昇順にページを検索すること、及び、当該指定ページから先頭ページの方向へ降順にページを検索できるようになる。
【０１１３】
図１１はページ指定キーＫ７によるページ表示制御例を示すフローチャートである。この例では、ページ指定キーＫ７の入力を受け付けて、当該ページ指定キーＫ７の入力に基づく指定ページのＪＯＢをＨＤＤ画像読出し画面に表示できるようにすると共に、ＪＯＢ等の検索基準となる指定ページを任意に設定するようになされる。また、ページ指定キーＫ７の操作と、アップキーＫ５及びダウンキーＫ６の操作とに基づくページのＪＯＢをＪＯＢ表示エリアＡＲ２に表示する場合を例に挙げる。
【０１１４】
なお、３ページ以上のＪＯＢが蓄積されると、ページ指定キーＫ７に加えて先頭キーＫ８、中間キーＫ９及び最終キーＫ１０が表示されるが、これについては第３の実施例で説明をする。
【０１１５】
これらをページ表示制御条件にして、まず、図１１に示すフローチャートのステップＦ１で制御手段１５はページ指定キーＫ７をオンされたか否かを判別する。このとき、操作手段１４はページ指定キーＫ７をオンされたか否かを検出する。ページ指定キーＫ７がオンされると、操作手段１４は図示しないページ指定キーオン信号に基づく操作データＤ３を制御手段１５に出力する。制御手段１５は例えば、操作データＤ３をデコードしてページ指定キーＫ７がオンされたことを判別する。
【０１１６】
従って、ページ指定キーＫ７がオンされた場合は、ステップＦ２に移行して制御手段１５はページ入力画面表示処理を実行する。そして、ステップＦ３に移行して制御手段１５は指定ページの入力が完了しかたをチェックする。指定ページは、図示しない操作パネル４８のテンキー等を使用して入力される。指定ページが入力されると、ステップＦ４に移行して入力ページ情報がセットされる。このとき、指定ページのＪＯＢ（表示項目）に係る表示データＤ２が制御手段１５から表示手段１８へ出力される。
【０１１７】
そして、ステップＦ５に移行して当該ページ表示処理を実行する。このとき、表示手段１８は表示データＤ２に基づいて指定ページのＪＯＢをＪＯＢ表示エリアＡＲ２に表示するようになされる。その後、ステップＦ６に移行して制御手段１５はキー操作がなされたか否かをチェックする。キー操作がなされない場合は、ステップＦ５に戻って当該ページ表示処理を継続するようになされる。
【０１１８】
ステップＦ６でキー操作がなされた場合は、ステップＦ７に移行して、Ｕ／Ｄキー又は、ページ指定キーＫ７の操作に基づいて制御を分岐する。ページ指定キーＫ７の場合は、ステップＦ１に戻って上述した処理を繰り返すようになされる。Ｕ／Ｄキーの場合は、ステップＦ８に移行してアップキーＫ５が押下された場合、又は、ダウンキーＫ６が押下された場合により制御を分岐する。
【０１１９】
アップキーＫ５が押下された場合は、ステップＦ９に移行してアップページの情報表示処理を実行する。このとき、表示手段１８は表示データＤ２に基づいてアップページのＪＯＢをＪＯＢ表示エリアＡＲ２に表示する。ステップＦ８でダウンキーＫ６が押下された場合は、ステップＦ１０に移行してダウンページの情報表示処理を実行する。このとき、表示手段１８は表示データＤ２に基づいてダウンページのＪＯＢをＪＯＢ表示エリアＡＲ２に表示する。
【０１２０】
その後、ステップＦ６に戻って、制御手段１５はキー操作がなされたか否かをチェックする。キー操作がなされない場合は、ステップＦ５に戻って当該ページ表示処理を継続するようになされる。例えば、先のステップＦ９でアップページの情報表示処理が実行されていた場合は、そのアップページのＪＯＢをＪＯＢ表示エリアＡＲ２に表示されたままになる。そして、上述した処理を繰り返すようになされる。
【０１２１】
このように、本発明に係る第２の実施例としての画像形成装置及び情報表示方法によれば、任意のＪＯＢに基づいて画像を形成する場合に、制御手段１５は、ＨＤＤ画像読出し画面Ｐ１２に表示するＪＯＢの総ページ数を取得し、ここで取得されたＪＯＢの総ページ数が２ページ以上か否かを判別し、ＪＯＢの総ページ数が２ページを超える場合は、ページを指定するためのページ指定キーＫ７を表示すると共に、当該ページ指定キーＫ７の入力を受け付け、ここで受け付けられたページ指定キーＫ７の入力に基づく指定ページのＪＯＢをＨＤＤ画像読出し画面に表示するようになされる。
【０１２２】
従って、ＪＯＢ等の検索基準となる指定ページを任意に設定することができ、この指定ページを基準にして、当該指定ページから最終ページの方向へ昇順にページを検索すること、及び、当該指定ページから先頭ページの方向へ降順にページを検索することができる。これにより、単一のアップダウン検索方式に比べてＪＯＢ等のページ検索処理を短時間に効率良く行うことができる。
【実施例３】
【０１２３】
図１２は本発明に係る第３の実施例としてのページ指定、先頭、中間及び最終キーＫ７〜Ｋ１０の表示例を示す概念図である。この実施例では第１の実施例と第２の実施例とを組み合わせたものである。ＪＯＢの総ページ数が２ページ以上であって、ページ指定、先頭、中間及び最終キーＫ７〜Ｋ１０により、ページ表示を制御する場合を前提とする。
【０１２４】
図１２に示す画像形成装置１００は、ユーザによって指定された並び順に従って、ＪＯＢの並び替え処理を実行する。このＪＯＢを並べた一覧表ページが３ページ以上にまたがる場合であり、操作ボタン表示エリアＡＲ４にはページ指定キーＫ７、先頭キーＫ８、中間キーＫ９及び最終キーＫ１０を各々表示するようになされる。
【０１２５】
この例で図２に示した制御手段１５は、ページ指定キーＫ７が押下されると、指定ページを入力するポップアップ画面Ｐ２をＨＤＤ画像読出し画面Ｐ１３上に表示するように表示手段１８を制御する。ポップアップ画面Ｐ２には、メッセージエリアＡＲ５が設けられ、「表示したいページを入力して下さい」等の文字情報が表示される。
【０１２６】
このメッセージエリアＡＲ５にはページ記述領域ＡＲ６が表示され、当該ポップアップ画面Ｐ２上でページ指定を受け付けるようになされる。ページ記述領域ＡＲ６には、指定ページを示す数値、例えば「３」が入力される。ユーザは、テンキー等を使用して指定ページを示す数値＝「３」を入力するようになされる。メッセージエリアＡＲ５の下方には「ＯＫ」キーＫ１１が表示される。ＯＫキーＫ１１の押下によって、ページ入力完了となり、制御手段１５は、指定されたページの一覧表示処理を実行する。
【０１２７】
図１３はページ指定、先頭、中間及び最終キーＫ７〜Ｋ１０の表示制御例を示すフローチャートである。この例で、ＪＯＢの総ページ数が、まず、２ページを超えたかを判別し、更に、その総ページ数が３ページを超えたかが判別される（加重判別処理）。この加重判別処理によって、各キーの表示処理がなされる。
【０１２８】
これをキー表示制御条件にして、図１３に示すフローチャートのステップＧ１で制御手段１５はＪＯＢの総ページ数を取得する。このとき、図６に示した表示制御フローチャートのステップＡ４で算出した総ページを参照する。例えば、ＪＯＢの総数が「１０００」の場合は、総ページ数が１００ページである。そして、ステップＧ２で制御手段１５はＪＯＢの総ページ数が２ページを超えたか否かを判別する。このとき、ＪＯＢの総ページ数と、比較基準値である２ページとが比較される。先の例では、ＪＯＢの総ページ数が１００ページである。従って、ＪＯＢの総ページ数が２ページ以上である。なお、ＪＯＢの総ページ数が２ページ未満である場合は表示制御を終了する。
【０１２９】
ステップＧ２で総ページ数が２ページ以上である場合は、ステップＧ３に移行して制御手段１５はアップキーＫ５及びダウンキーＫ６を表示する。そして、ステップＧ４に移行してページ指定キーＫ７を表示する。ページ指定キーＫ７は図１２に示したように、ＨＤＤ画像読出し画面Ｐ１３の操作ボタン表示エリアＡＲ４に表示するようになされる。これにより、指定ページを基準にして、当該指定ページから最終ページの方向へ昇順にページを検索すること、及び、当該指定ページから先頭ページの方向へ降順にページを検索できるようになる。
【０１３０】
更に、ステップＧ５で制御手段１５はＪＯＢの総ページ数が３ページを超えたか否かを判別する。このとき、ＪＯＢの総ページ数と、比較基準値である３ページとが比較される。先の例では、ＪＯＢの総ページ数が１００ページである。従って、ＪＯＢの総ページ数が３ページ以上である。なお、ＪＯＢの総ページ数が３ページ未満である場合はステップＧ３に戻って、アップキーＫ５及びダウンキーＫ６の表示処理と、ステップＧ４でページ指定キーＫ７の表示処理を繰り返すようになされる。
【０１３１】
この例では、ステップＧ５で総ページ数が３ページ以上であるので、ステップＧ６に移行して制御手段１５は先頭キーＫ８、中間キーＫ９及び最終キーＫ１０を各々表示する。先頭キーＫ８、中間キーＫ９及び最終キーＫ１０は、図１２に示したように、ＨＤＤ画像読出し画面Ｐ１３の操作ボタン表示エリアＡＲ４に表示するようになされる。これにより、ページ指定、先頭、中間及び最終キーＫ７〜Ｋ１０によるページ表示制御をすることができる。
【０１３２】
図１４は、ページ指定、先頭、中間及び最終キーによるページ表示制御例を示すフローチャートである。
【０１３３】
この例では、ページ指定キーＫ７、先頭キーＫ８、中間キーＫ９及び最終キーＫ１０の入力を受け付けて、当該ページ指定、先頭、中間及び最終キーＫ７〜Ｋ１０の入力に基づくページのＪＯＢをＨＤＤ画像読出し画面に表示できるようにすると共に、ＪＯＢ等の検索基準となる指定ページを任意に設定するようになされる。また、ページ指定、先頭、中間及び最終キーＫ７〜Ｋ１０の操作と、アップキーＫ５及びダウンキーＫ６の操作とに基づくページのＪＯＢをＪＯＢ表示エリアＡＲ２に表示する場合を例に挙げる。
【０１３４】
これらをページ表示制御条件にして、まず、図１４に示すフローチャートのステップＨ１で制御手段１５は先頭キーＫ８をオンされたか否かを判別する。このとき、操作手段１４は先頭キーＫ８をオンされたか否かを検出する。先頭キーＫ８をオンされると、図示しない先頭キーオン信号に基づく操作データＤ３を制御手段１５に出力する。制御手段１５は例えば、操作データＤ３をデコードして先頭キーＫ８がオンされたことを判別する。
【０１３５】
従って、先頭キーＫ８がオンされた場合は、ステップＨ２に移行して制御手段１５は先頭ページ情報をセットする。このとき、先頭ページのＪＯＢ（表示項目）に係る表示データＤ２が制御手段１５から表示手段１８へ出力される。そして、ステップＨ１１に移行して当該ページ表示処理を実行する。このとき、表示手段１８は表示データＤ２に基づいて先頭ページのＪＯＢをＪＯＢ表示エリアＡＲ２に表示する。
【０１３６】
上述のステップＨ１で先頭キーＫ８が押下されない場合は、ステップＨ３に移行して、制御手段１５は中間キーＫ９をオンされたか否かを判別する。このとき、操作手段１４は中間キーＫ９をオンされたか否かを検出する。中間キーＫ９がオンされると、図示しない中間キーオン信号に基づく操作データＤ３を制御手段１５に出力する。制御手段１５は例えば、操作データＤ３をデコードして中間キーＫ９がオンされたことを判別する。
【０１３７】
従って、中間キーＫ９がオンされた場合は、ステップＨ４に移行して中間ページを算出し、中間ページ情報をセットする。このとき、中間ページは、総ページ数を２分（総ページ数÷２）することで算出される。先の例では、総ページ数が１００ページであるので、中間ページは５０ページとなる。中間ページのＪＯＢに係る表示データＤ２は、制御手段１５から表示手段１８へ出力される。そして、ステップＨ１１に移行して当該ページ表示処理を実行する。このとき、表示手段１８は表示データＤ２に基づいて中間ページのＪＯＢをＪＯＢ表示エリアＡＲ２に表示する。
【０１３８】
更に、ステップＨ３で中間キーＫ９が押下されない場合は、ステップＨ５に移行して、制御手段１５は最終キーＫ１０をオンされたか否かを判別する。このとき、操作手段１４は最終キーＫ１０をオンされたか否かを検出する。最終キーＫ１０がオンされると、図示しない最終キーオン信号に基づく操作データＤ３を制御手段１５に出力する。制御手段１５は例えば、操作データＤ３をデコードして最終キーＫ１０がオンされたことを判別する。
【０１３９】
従って、最終キーＫ１０がオンされた場合は、ステップＨ６に移行して最終ページを参照し、最終ページ情報をセットする。先の例では、総ページ数が１００ページであるので、最終ページは１００ページである。最終ページのＪＯＢ（表示項目）に係る表示データＤ２は、制御手段１５から表示手段１８へ出力される。そして、ステップＨ１１に移行して当該ページ表示処理を実行する。このとき、表示手段１８は表示データＤ２に基づいて最終ページのＪＯＢをＪＯＢ表示エリアＡＲ２に表示する。
【０１４０】
更に、ステップＨ５で最終キーＫ１０が押下されない場合は、ステップＨ７に移行して、制御手段１５はページ指定キーＫ７をオンされたか否かを判別する。このとき、操作手段１４はページ指定キーＫ７をオンされたか否かを検出する。ページ指定キーＫ７がオンされると、操作手段１４は図示しないページ指定キーオン信号に基づく操作データＤ３を制御手段１５に出力する。制御手段１５は例えば、操作データＤ３をデコードしてページ指定キーＫ７がオンされたことを判別する。
【０１４１】
従って、ページ指定キーＫ７がオンされた場合は、ステップＨ８に移行して制御手段１５はページ入力画面表示処理を実行する。そして、ステップＨ９に移行して制御手段１５は指定ページの入力が完了しかたをチェックする。指定ページは、図示しない操作パネル４８のテンキー等を使用して入力される。指定ページが入力されると、ステップＨ１０に移行して入力ページ情報がセットされる。このとき、指定ページのＪＯＢ（表示項目）に係る表示データＤ２が制御手段１５から表示手段１８へ出力される。
【０１４２】
そして、ステップＨ１１に移行して当該ページ表示処理を実行する。このとき、表示手段１８は表示データＤ２に基づいて指定ページのＪＯＢをＪＯＢ表示エリアＡＲ２に表示するようになされる。その後、ステップＨ１２に移行して制御手段１５はキー操作がなされたか否かをチェックする。キー操作がなされない場合は、ステップＨ１１に戻って当該ページ表示処理を継続するようになされる。
【０１４３】
ステップＨ１２でキー操作がなされた場合は、ステップＨ１３に移行して、Ｕ／Ｄキー、ページ指定キーＫ７、又は、他のキーの操作に基づいて制御を３つに分岐する。他のキーの場合は、ステップＨ１に戻って上述した処理を繰り返すようになされる。ページ指定キーＫ７の場合は、ステップＨ７に戻って上述した処理を繰り返すようになされる。
【０１４４】
Ｕ／Ｄキーの場合は、ステップＨ１４に移行してアップキーＫ５が押下された場合、又は、ダウンキーＫ６が押下された場合により制御を分岐する。アップキーＫ５が押下された場合は、ステップＨ１５に移行してアップページの情報表示処理を実行する。このとき、表示手段１８は表示データＤ２に基づいてアップページのＪＯＢをＪＯＢ表示エリアＡＲ２に表示する。ステップＨ１４でダウンキーＫ６が押下された場合は、ステップＨ１６に移行してダウンページの情報表示処理を実行する。このとき、表示手段１８は表示データＤ２に基づいてダウンページのＪＯＢをＪＯＢ表示エリアＡＲ２に表示する。
【０１４５】
その後、ステップＨ１２に戻って、制御手段１５はキー操作がなされたか否かをチェックする。キー操作がなされない場合は、ステップＨ５に戻って当該ページ表示処理を継続するようになされる。例えば、先のステップＨ１５でアップページの情報表示処理が実行されていた場合は、そのアップページのＪＯＢをＪＯＢ表示エリアＡＲ２に表示されたままになる。そして、上述した処理を繰り返すようになされる。
【０１４６】
このように、本発明に係る第３の実施例としての画像形成装置及び情報表示方法によれば、任意のＪＯＢに基づいて画像を形成する場合に、制御手段１５は、ＨＤＤ画像読出し画面Ｐ１３に表示するＪＯＢの総ページ数を取得し、ここで取得されたＪＯＢの総ページ数が２ページ以上か否かを判別し、ＪＯＢの総ページ数が２ページを超える場合は、ページを指定するためのページ指定キーＫ７を表示すると共に、当該ページ指定キーＫ７の入力を受け付け、ここで受け付けられたページ指定キーＫ７の入力に基づく指定ページのＪＯＢをＨＤＤ画像読出し画面Ｐ１３に表示するようになされる。
【０１４７】
更に、その総ページ数が３ページを超えたかが判別される（加重判別処理）。この加重判別処理によって、先頭キーＫ８、中間キーＫ９及び最終キーＫ１０の表示すると共に、当該先頭キーＫ８、中間キーＫ９及び最終キーＫ１０の入力を受け付け、ここで受け付けられた先頭キーＫ８、中間キーＫ９及び最終キーＫ１０の入力に基づく指定ページのＪＯＢをＨＤＤ画像読出し画面Ｐ１３に表示するようになされる。
【０１４８】
従って、ページ指定キーＫ７が選択された場合は、ＪＯＢ等の検索基準となる指定ページを任意に設定することができ、この指定ページを基準にして、当該指定ページから最終ページの方向へ昇順にページを検索すること、及び、当該指定ページから先頭ページの方向へ降順にページを検索することができる。つまり、ページ指定キーＫ７を押下すると、図９に示したようなポップアップ画面Ｐ２が表示される。図示していないが、操作パネル４８に設けられるテンキーにより表示したいページを入力し、ＯＫキーＫ４を押下する。これにより、ＪＯＢを指定したページに移動するようになされる。
【０１４９】
例えば、ＪＯＢの総ページが１００ページである場合であって、ページ指定キーＫ７にて、アルファベット「Ｉ」から始まるＪＯＢを検索しようとするとき、まず、ページ指定キーＫ７を押下し、目安となる指定ページ数値として、例えば、「３０」を入力する。この指定ページの入力「ＯＫ」によってＪＯＢ表示エリアＡＲ２に、頭文字「Ｃ」から始まるＪＯＢが表示されたとする。このページ内のＪＯＢは全て頭文字「Ｃ」であったため、目的とするアルファベット「Ｉ」から始まるＪＯＢは、更に、３０ページ程度後であろう等の目安とすることができる。
【０１５０】
そこで、更に、ページ指定キーＫ７を押下して指定ページ数値として「３０」を入力する。この指定ページの入力「ＯＫ」によって、今度は、ＪＯＢ表示エリアＡＲ２に、頭文字「Ｊ」から始まるＪＯＢが表示されたとする。このページ内のＪＯＢの頭文字が「Ｊ」であったため、アップキーＫ５でページを戻って、ＪＯＢ表示エリアＡＲ２を確認していくと、例えば、５ページ前に、アルファベット「Ｉ」から始まるＪＯＢを見つけることができる。このように、ページ指定キーＫ７とアップキーＫ５等とを組み合わせて所望のページを検索することができる。
【０１５１】
また、先頭キーＫ８が選択された場合は、先頭ページから最終ページの方向へ昇順にページを検索すること、最終キーＫ１０が選択された場合は、最終ページから先頭ページの方向に降順にページを検索すること、中間キーＫ９が選択された場合は、中間ページを基準にして、当該中間ページから最終ページの方向へ昇順にページを検索すること、及び、当該中間ページから先頭ページの方向へ降順にページを検索することができる。
【０１５２】
通常、ユーザは利用しようとするＪＯＢの表示ページがどの位置にあるかが判らない。先の例で総ページが１００ページ有り、５５ページ目に選択したいＪＯＢ（ＨＨＨＨ１１１１）が配置されている場合を仮定する。ただし、５５ページ目に選択したいＪＯＢが配置されていることはユーザには判らない。
【０１５３】
このような場合、中間キーＫ９にてＪＯＢを探すことができるので、先の例で総ページ数が１００ページの場合に、ＪＯＢの頭文字が、例えば「Ｆ」であれば、中間キーＫ９を押下することで、ＪＯＢ表示エリアＡＲ２に検索の目安となる中間ページ＝５０ページを表示することができ、この中間ページから、例えば、５ページ程度後であろう等を予想することができる。その後、中間ページを検索開始ページとして、ダウンキーＫ６等を操作してページを進めることで、ＪＯＢを探し出すことができるようになる。
【０１５４】
これにより、画像形成に必要なＪＯＢを探し出すために、無駄なオペレートを実施することなく、必要なＪＯＢが含まれるページを探し出すことができ、従来方式の単一のアップダウン検索方式に比べてＪＯＢ等のページ検索処理を短時間に効率良く実行できるようになった。
【産業上の利用可能性】
【０１５５】
この発明は、多数ページにまたがるＪＯＢを表示する機能を有した白黒用又はカラー用のプリンタや複写機、これらの複合機等に適用して極めて好適である。
【図面の簡単な説明】
【０１５６】
【図１】本発明の実施形態としての画像形成装置１００の構成例を示す概念図である。
【図２】画像形成装置１００の制御系の構成例を示すブロック図である。
【図３】画像形成装置１００におけるＨＤＤ画像読出し画面Ｐ１１の表示例を示す概念図である。
【図４】画像形成装置１００におけるＨＤＤ画像読出し画面Ｐ１２の表示例を示す概念図である。
【図５】画像形成装置１００におけるＨＤＤ画像読出し画面Ｐ１３の表示例を示す概念図である。
【図６】本発明に係る各実施例におけるＨＤＤ画像読出し画面等の表示制御例を示すフローチャートである。
【図７】第１の実施例に係る先頭キー、中間キー及び最終キーの表示制御例を示すフローチャートである。
【図８】先頭キー、中間キー及び最終キーによるページ表示制御例を示すフローチャートである。
【図９】本発明に係る第２の実施例に係るＨＤＤ画像読出し画面上のポップアップ画面Ｐ２の表示例を示す構成図である。
【図１０】ページ指定キーＫ７の表示制御例を示すフローチャートである。
【図１１】ページ指定キーＫ７によるページ表示制御例を示すフローチャートである。
【図１２】本発明に係る第３の実施例としてのページ指定、先頭、中間及び最終キーＫ７〜Ｋ１０の表示例を示す概念図である。
【図１３】ページ指定、先頭、中間及び最終キーＫ７〜Ｋ１０のページ表示制御例を示すフローチャートである。
【図１４】ページ指定、先頭、中間及び最終キーによるページ表示制御例を示すフローチャートである。
【符号の説明】
【０１５７】
１１  原稿読取手段
１３  画像メモリ
１４  操作手段
１５  制御手段
１６  ハードディスク（ＨＤＤ）
１８  表示手段
２１  画像処理手段
２３  給紙手段
４８  操作パネル（操作手段＋表示手段）
５０  情報処理手段
６０  画像書込み部
７０  画像形成部
１００  画像形成装置
【図１】
2005085043.tif 000003
【図２】
2005085043.tif 000004
【図３】
2005085043.tif 000005
【図４】
2005085043.tif 000006
【図５】
2005085043.tif 000007
【図６】
2005085043.tif 000008
【図７】
2005085043.tif 000009
【図８】
2005085043.tif 000010
【図９】
2005085043.tif 000011
【図１０】
2005085043.tif 000012
【図１１】
2005085043.tif 000013
【図１２】
2005085043.tif 000014
【図１３】
2005085043.tif 000015
【図１４】
2005085043.tif 000016